(57)【要約】【課題】  像担持部材から転写部材に良好なトナー像を転写する。【解決手段】  中間転写装置６２では、感光体ドラム５０を中間転写ベルト６４が被覆する一次転写領域で、一次転写ロール６６が感光体ドラム５０上のトナー像を中間転写ベルト６４に一次転写する。ここで、前ギャップ９６に中間転写ベルト６４を挟んで対向するラップインロール６８に感光体ドラム５０の電位が誘電されて、感光体ドラム５０のトナー像が中間転写ベルト６４に飛び散ることが抑制される。一方、後ギャップ９８に中間転写ベルト６４を挟んで対向するラップアウトロール７０に中間転写ベルト６４の感光体ドラム５０からの剥離により発生する電荷が荷電されて、トナー像の感光体ドラム５０へのリトランスファが抑制される。このため、中間転写ベルト６４に良好なトナー像を一次転写できる。【選択図】    図１
2005331662.tif 000002
【特許請求の範囲】
【請求項１】
トナー像を担持して移動される像担持部材と、
前記像担持部材を所定領域に亘って被覆し、前記所定領域において前記像担持部材と共に移動されて前記像担持部材に担持された前記トナー像が転写される転写部材と、
前記転写部材の前記所定領域よりも反移動方向側に配置され、前記所定領域近傍の前記像担持部材と前記転写部材との間にギャップを形成するように前記転写部材を挟んで対向すると共に、像形成中に前記像担持部材に担持された前記トナー像のトナー電荷極性と同極性に荷電される前配置部材と、
を備えた転写装置。
【請求項２】
前記前配置部材の電位をフロート状態にした、ことを特徴とする請求項１記載の転写装置。
【請求項３】
前記前配置部材に、前記像担持部材に担持された前記トナー像のトナー電荷極性と同極性のバイアスを印加する、ことを特徴とする請求項１記載の転写装置。
【請求項４】
前記前配置部材は、前記像担持部材と略同一の電位、または、前記像担持部材に担持された前記トナー像が前記像担持部材側への移動力を受ける電位にされる、ことを特徴とする請求項１乃至請求項３の何れか１項記載の転写装置。
【請求項５】
前記像担持部材と前記前配置部材とを回転可能とし、かつ、前記像担持部材の回転中心と前記前配置部材の回転中心とを結ぶ直線に沿った前記ギャップの幅を前記前配置部材の回転半径よりも小さくした、ことを特徴とする請求項１乃至請求項４の何れか１項記載の転写装置。
【請求項６】
前記前配置部材が前記転写部材に接触することで前記ギャップを形成した、ことを特徴とする請求項１乃至請求項５の何れか１項記載の転写装置。
【請求項７】
トナー像を担持して移動される像担持部材と、
前記像担持部材を所定領域に亘って被覆し、前記所定領域において前記像担持部材と共に移動されて前記像担持部材に担持された前記トナー像が転写される転写部材と、
前記転写部材の前記所定領域よりも移動方向下流側に配置され、前記所定領域近傍の前記像担持部材と前記転写部材との間にギャップを形成するように前記転写部材を挟んで対向すると共に、像形成中に前記像担持部材から前記転写部材に転写されて担持された前記トナー像のトナー電荷極性と逆極性に荷電される後配置部材と、
を備えた転写装置。
【請求項８】
前記後配置部材の電位をフロート状態にした、ことを特徴とする請求項７記載の転写装置。
【請求項９】
前記後配置部材に、前記像担持部材から前記転写部材に転写されて担持された前記トナー像が前記後配置部材側への移動力を受けるバイアスを印加する、ことを特徴とする請求項７記載の転写装置。
【請求項１０】
前記後配置部材は、前記像担持部材から前記転写部材に転写されて担持された前記トナー像のトナー電荷極性と逆極性の電位にされる、ことを特徴とする請求項７乃至請求項９の何れか１項記載の転写装置。
【請求項１１】
前記像担持部材と前記後配置部材とを回転可能とし、かつ、前記像担持部材の回転中心と前記後配置部材の回転中心とを結ぶ直線に沿った前記ギャップの幅を前記後配置部材の回転半径よりも小さくした、ことを特徴とする請求項７乃至請求項１０の何れか１項記載の転写装置。
【請求項１２】
前記後配置部材が前記転写部材に接触することで前記ギャップを形成した、ことを特徴とする請求項７乃至請求項１１の何れか１項記載の転写装置。
【請求項１３】
請求項１乃至請求項１２の何れか１項記載の転写装置を備え、前記転写部材に転写された前記トナー像を転写媒体に転写する、ことを特徴とする画像形成装置。
【発明の詳細な説明】
【技術分野】
【０００１】
本発明は、像担持部材に担持されたトナー像を転写部材に転写する転写装置、及び、この転写装置を備えた画像形成装置に関する。
【背景技術】
【０００２】
転写装置としては、感光体ドラムに担持されたトナー像を、回動される中間転写ベルトに転写するものがある（例えば特許文献１参照）。
【０００３】
この転写装置では、中間転写ベルトが、感光体ドラムに所定領域に亘って張架されると共に、所定領域の反回動方向側及び回動方向側をそれぞれ張架ロールに張架されている。
【０００４】
ところで、この転写装置では、上記各張架ロールが所定領域から離間して配置されると共に、所定領域の両端近傍における感光体ドラムと中間転写ベルトとの空隙（エアギャップ）が狭くされている。
【０００５】
このため、所定領域に対して中間転写ベルトの反回動方向側近傍における感光体ドラムと中間転写ベルトとの空隙（エアギャップ）において、感光体ドラムに担持されたトナー像が中間転写ベルトに放電により飛び散ることを抑制して、中間転写ベルトに良好なトナー像を転写できることが望まれている。
【０００６】
さらに、所定領域に対して中間転写ベルトの回動方向側近傍における感光体ドラムと中間転写ベルトとの空隙（エアギャップ）において、中間転写ベルトに転写されるトナー像の感光体ドラムへのリトランスファを抑制して、中間転写ベルトに良好なトナー像を転写できることが望まれている。
【特許文献１】特開２００３−２５５７２７公報
【発明の開示】
【発明が解決しようとする課題】
【０００７】
本発明は上記事実を考慮し、転写部材が像担持部材を所定領域に亘って被覆する場合でも転写部材に良好なトナー像を転写できる転写装置及び画像形成装置を得ることを目的とする。
【課題を解決するための手段】
【０００８】
請求項１に記載の転写装置は、トナー像を担持して移動される像担持部材と、前記像担持部材を所定領域に亘って被覆し、前記所定領域において前記像担持部材と共に移動されて前記像担持部材に担持された前記トナー像が転写される転写部材と、前記転写部材の前記所定領域よりも反移動方向側に配置され、前記所定領域近傍の前記像担持部材と前記転写部材との間にギャップを形成するように前記転写部材を挟んで対向すると共に、像形成中に前記像担持部材に担持された前記トナー像のトナー電荷極性と同極性に荷電される前配置部材と、を備えている。
【０００９】
請求項２に記載の転写装置は、請求項１に記載の転写装置において、前記前配置部材の電位をフロート状態にした、ことを特徴としている。
【００１０】
請求項３に記載の転写装置は、請求項１に記載の転写装置において、前記前配置部材に、前記像担持部材に担持された前記トナー像のトナー電荷極性と同極性のバイアスを印加する、ことを特徴としている。
【００１１】
請求項４に記載の転写装置は、請求項１乃至請求項３の何れか１項に記載の転写装置において、前記前配置部材は、前記像担持部材と略同一の電位、または、前記像担持部材に担持された前記トナー像が前記像担持部材側への移動力を受ける電位にされる、ことを特徴としている。
【００１２】
請求項５に記載の転写装置は、請求項１乃至請求項４の何れか１項に記載の転写装置において、前記像担持部材と前記前配置部材とを回転可能とし、かつ、前記像担持部材の回転中心と前記前配置部材の回転中心とを結ぶ直線に沿った前記ギャップの幅を前記前配置部材の回転半径よりも小さくした、ことを特徴としている。
【００１３】
請求項６に記載の転写装置は、請求項１乃至請求項５の何れか１項に記載の転写装置において、前記前配置部材が前記転写部材に接触することで前記ギャップを形成した、ことを特徴としている。
【００１４】
請求項７に記載の転写装置は、トナー像を担持して移動される像担持部材と、前記像担持部材を所定領域に亘って被覆し、前記所定領域において前記像担持部材と共に移動されて前記像担持部材に担持された前記トナー像が転写される転写部材と、前記転写部材の前記所定領域よりも移動方向下流側に配置され、前記所定領域近傍の前記像担持部材と前記転写部材との間にギャップを形成するように前記転写部材を挟んで対向すると共に、像形成中に前記像担持部材から前記転写部材に転写されて担持された前記トナー像のトナー電荷極性と逆極性に荷電される後配置部材と、を備えている。
【００１５】
請求項８に記載の転写装置は、請求項７に記載の転写装置において、前記後配置部材の電位をフロート状態にした、ことを特徴としている。
【００１６】
請求項９に記載の転写装置は、請求項７に記載の転写装置において、前記後配置部材に、前記像担持部材から前記転写部材に転写されて担持された前記トナー像が前記後配置部材側への移動力を受けるバイアスを印加する、ことを特徴としている。
【００１７】
請求項１０に記載の転写装置は、請求項７乃至請求項９の何れか１項に記載の転写装置において、前記後配置部材は、前記像担持部材から前記転写部材に転写されて担持された前記トナー像のトナー電荷極性と逆極性の電位にされる、ことを特徴としている。
【００１８】
請求項１１に記載の転写装置は、請求項７乃至請求項１０の何れか１項に記載の転写装置において、前記像担持部材と前記後配置部材とを回転可能とし、かつ、前記像担持部材の回転中心と前記後配置部材の回転中心とを結ぶ直線に沿った前記ギャップの幅を前記後配置部材の回転半径よりも小さくした、ことを特徴としている。
【００１９】
請求項１２に記載の転写装置は、請求項７乃至請求項１１の何れか１項に記載の転写装置において、前記後配置部材が前記転写部材に接触することで前記ギャップを形成した、ことを特徴としている。
【００２０】
請求項１３に記載の画像形成装置は、請求項１乃至請求項１２の何れか１項に記載の転写装置を備え、前記転写部材に転写された前記トナー像を転写媒体に転写する、ことを特徴としている。
【発明の効果】
【００２１】
請求項１に記載の転写装置では、像担持部材がトナー像を担持して移動されると共に、転写部材が像担持部材を所定領域に亘って被覆しており、所定領域において転写部材が像担持部材と共に移動されて、像担持部材に担持されたトナー像が転写部材に転写される。さらに、前配置部材が、転写部材の所定領域よりも反移動方向側に配置されている。
【００２２】
ここで、前配置部材が、所定領域近傍の像担持部材と転写部材との間にギャップを形成するように転写部材を挟んで対向して、像形成中に像担持部材に担持されたトナー像のトナー電荷極性と同極性に荷電される。このため、ギャップにおいて、像担持部材に担持されたトナー像が放電によって転写部材に飛び散ることを抑制でき、転写部材に良好なトナー像を転写することができる。
【００２３】
請求項２に記載の転写装置では、前配置部材の電位がフロート状態にされているため、像担持部材の像担持部位の電位が前配置部材に誘電される。このため、簡単な構成で前配置部材を像担持部材に担持されたトナー像のトナー電荷極性と同極性の電位にすることができる。
【００２４】
請求項３に記載の転写装置では、像担持部材に担持されたトナー像のトナー電荷極性と同極性のバイアスを印加する。このため、容易に前配置部材の電位を制御することができる。
【００２５】
請求項４に記載の転写装置では、前配置部材が、像担持部材と略同一の電位、または、像担持部材に担持されたトナー像が像担持部材側への移動力を受ける電位にされる。このため、像担持部材に担持されたトナー像が転写部材に飛び散ることを良好に抑制できる。
【００２６】
請求項５に記載の転写装置では、像担持部材と前配置部材とが回転可能とされている。ここで、像担持部材の回転中心と前配置部材の回転中心とを結ぶ直線に沿ったギャップの幅が、前配置部材の回転半径よりも小さくされている。このため、前配置部材の電位がフロート状態にされる場合には、像担持部材の像担持部位の電位を前配置部材に良好に誘電させることができる。
【００２７】
請求項６に記載の転写装置では、前配置部材が転写部材に接触することで、ギャップが形成されている。このため、ギャップを形成するための他の部品が必要なく、部品点数を少なくすることができる。
【００２８】
請求項７に記載の転写装置では、像担持部材がトナー像を担持して移動されると共に、転写部材が像担持部材を所定領域に亘って被覆しており、所定領域において転写部材が像担持部材と共に移動されて、像担持部材に担持されたトナー像が転写部材に転写される。さらに、後配置部材が、転写部材の所定領域よりも移動方向下流側に配置されている。
【００２９】
ここで、後配置部材が、所定領域近傍の像担持部材と転写部材との間にギャップを形成するように転写部材を挟んで対向して、像形成中に像担持部材から転写部材に転写され担持されたトナー像のトナー電荷極性と逆極性に荷電される。このため、ギャップにおいて、転写部材に担持されたトナー像の像担持部材へのリトランスファを抑制でき、転写部材に良好なトナー像を転写することができる。
【００３０】
請求項８に記載の転写装置では、後配置部材の電位がフロート状態にされているため、転写部材が像担持部材から剥離するときに起こる剥離放電によって発生する電荷（像担持部材から転写部材に転写されて担持されたトナー像のトナー電荷極性と逆極性の電荷）が後配置部材に荷電される。このため、簡単な構成で後配置部材を転写部材に担持されたトナー像のトナー電荷極性と逆極性に荷電することができる。
【００３１】
請求項９に記載の転写装置では、像担持部材から転写部材に転写されて担持されたトナー像が後配置部材側への移動力を受けるバイアスを後配置部材に印加する。このため、容易に後配置部材の電位を制御することができる。
【００３２】
請求項１０に記載の転写装置では、後配置部材が、像担持部材から転写部材に転写されて担持されたトナー像のトナー電荷極性と逆極性の電位にされる。このため、転写部材に担持されたトナー像の像担持部材へのリトランスファを良好に抑制できる。
【００３３】
請求項１１に記載の転写装置では、像担持部材と後配置部材とが回転可能とされている。ここで、像担持部材の回転中心と後配置部材の回転中心とを結ぶ直線に沿ったギャップの幅が、後配置部材の回転半径よりも小さくされている。このため、後配置部材の電位がフロート状態にされる場合には、転写部材が像担持部材から剥離するときに起こる剥離放電によって発生する電荷を後配置部材に良好に荷電させることができる。
【００３４】
請求項１２に記載の転写装置では、後配置部材が転写部材に接触することで、ギャップが形成されている。このため、ギャップを形成するための他の部品が必要なく、部品点数を少なくすることができる。
【００３５】
請求項１３に記載の画像形成装置では、請求項１乃至請求項１２の何れか１項に記載の転写装置を備えて、回動部材に転写されたトナー像を転写媒体に転写する。このため、請求項１乃至請求項１２の何れか１項の効果を奏することができる。
【発明を実施するための最良の形態】
【００３６】
［第１の実施の形態］
図１には、本発明の転写装置が適用されて構成された第１の実施の形態に係る画像形成装置としてのカラープリンタ１０の概要が右側方から見た断面図にて示されている。
【００３７】
カラープリンタ１０は、カラープリンタ本体１２を有し、このカラープリンタ本体１２の上部に回動支点１４を中心に回動自在の開閉カバー１６が設けられている。また、カラープリンタ本体１２の下部に給紙ユニット１８が配置されている。
【００３８】
給紙ユニット１８は、転写媒体としての記録用紙Ｐが収納される給紙カセット２２を有する。給紙カセット２２の奥端近傍上部には、給紙カセット２２から記録用紙Ｐを供給するフィードロール２４、及び、供給される記録用紙Ｐを１枚ずつ捌くリタードロール２６が配置されている。
【００３９】
搬送路２８は、フィードロール２４から排出口３０までの記録用紙Ｐの通路である。搬送路２８は、カラープリンタ本体１２の裏側（図１の右側）近傍にあって、給紙ユニット１８から定着装置９０まで略垂直に形成されている。この搬送路２８の定着装置９０の上流側に二次転写ロール８０と二次転写バックアップロール７２とが配置され、二次転写ロール８０と二次転写バックアップロール７２の上流側にレジストロール３２が配置されている。また、搬送路２８の排出口３０の近傍には排出ロール３４が配置されている。
【００４０】
したがって、給紙ユニット１８の給紙カセット２２からフィードロール２４により送り出された記録用紙Ｐは、リタードロール２６により捌かれて最上部の記録用紙Ｐのみ搬送路２８に導かれ、レジストロール３２によりー時停止され、タイミングをとって二次転写ロール８０と転写部材としての無端ベルト状の中間転写ベルト６４（二次転写バックアップロール７２）との間を通ってトナー像が転写され、この転写されたトナー像が定着装置９０により定着され、排出ロール３４により排出口３０から開閉カバー１６の上部に設けられた排出部３６へ排出される。この排出部３６は、排出口３０部分が低く、正面方向（図１の左方向）に向けて徐々に高くなるよう傾斜している。
【００４１】
カラープリンタ本体１２には、略中央部にロータリ現像装置３８が配置されている。ロータリ現像装置３８は、現像器本体４０内にイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器４２ａ〜４２ｄを有し、ロータリ現像装置中心４４を中心として左回り（図１において反時計回り）に回転する。現像器４２ａ〜４２ｄそれぞれは、現像ロール４６ａ〜４６ｄを有し、コイルスプリングなどの弾性体４８ａ〜４８ｄにより、現像器本体４０の法線方向（径方向）に押圧されている。
【００４２】
ロータリ現像装置３８の背面側（図１において右側）及び上側には、転写装置としての中間転写装置６２が設けられている。中間転写装置６２は、像担持部材としての断面外周円状の感光体ドラム５０を有しており、感光体ドラム５０は回転支軸４９を軸として回転（移動）駆動される。感光体ドラム５０は、現像器本体４０に当接するように配置されており、現像ロール４６ａ〜４６ｄは、感光体ドラム５０に当接していない状態で、それぞれの外周の一部が現像器本体４０の外周から半径方向に、約２ｍｍ突出している。また、現像ロール４６ａ〜４６ｄそれぞれの両端には、現像ロール４６ａ〜４６ｄの直径よりもわずかに大きい直径のトラッキングロール（図示せず）が現像ロール４６ａ〜４６ｄと同軸で回転するように設けられている。つまり、現像器４２ａ〜４２ｄは、ロータリ現像装置中心４４を中心として、それぞれ９０°の間隔で現像器本体４０の外周に配置され、現像ロール４６ａ〜４６ｄのトラッキングロールが感光体ドラム５０の両端に設けられたフランジ（図示省略）に当接し、現像ロール４６ａ〜４６ｄと感光体ドラム５０との間に所定の隙間を形成しつつ、感光体ドラム５０上の潜像をそれぞれの色のトナーで現像することで、感光体ドラム５０の外周面（像担持部位）上にそれぞれの色のトナー像が担持される。
【００４３】
感光体ドラム５０の下方には、帯電ロール５２が設けられ、帯電ロール５２に帯電バイアスを印加し、感光体ドラム５０を一様に帯電する。感光体ドラム５０の回転支軸４９にぶら下がるように感光体ドラム用クリーナ５４が設けられており、感光体ドラム５０と感光体ドラム用クリーナ５４とは一体化されている。感光体ドラム用クリーナ５４は、一次転写後に感光体ドラム５０に残留する廃トナーを掻き取るクリーニングブレード５６と、クリーニングブレード５６が掻き取った廃トナーを回収するトナー回収ケース５８とから構成される。
【００４４】
なお、トナー回収ケース５８の背面側（図１において右側）は、リブなどが形成され、記録用紙Ｐが滑らかに搬送されるように曲面にされて搬送路２８の一部を形成している。
【００４５】
ロータリ現像装置３８の下方背面側には、帯電ロール５２により帯電された感光体ドラム５０に、レーザ光などの光線により潜像を書き込む露光装置６０が配置されている。
【００４６】
ロータリ現像装置３８の上方には、ロータリ現像装置３８によって可視化されたトナー像を一次転写位置で一次転写され、二次転写位置（二次転写ロール８０と二次転写バックアップロール７２とのニップ部）まで搬送する中間転写ベルト６４が設けられている。
【００４７】
中間転写ベルト６４は、弾性を有し、ロータリ現像装置３８の上方で長辺と短辺とを有するように略扁平に張られている。中間転写ベルト６４の両側の長辺は、カラープリンタ本体１２の上部に設けられた排出部３６に対して略平行となるように張られている。
【００４８】
また、中間転写ベルト６４は、中間転写ベルト６４の下側の長辺で、金属製で断面外周円状の一次転写ロール６６の上流に配置された前配置部材としての金属製で断面外周円状のラップインロール６８と、一次転写ロール６６の下流に配置された後配置部材としての金属製で断面外周円状のラップアウトロール７０と、の間において、所定領域としての一次転写領域（感光体ドラムラップ領域）に亘って、感光体ドラム５０にラップ状に張架（被覆）されて巻き付き、感光体ドラム５０による回動駆動によって感光体ドラム５０の回転に従動して図１の矢印Ａの方向へ回動（移動）する。感光体ドラム５０上のトナー像は例えばマイナスに帯電される一方、一次転写ロール６６には例えばプラスのバイアスが印加されており、中間転写ベルト６４は、一次転写領域において感光体ドラム５０の回転と共に回動されて、一次転写位置の一次転写ロール６６によって感光体ドラム５０上のトナー像が、イエロー、マゼンタ、シアン、黒の順に、別々のタイミングでトナー担持面（外側の面）上に重ねて一次転写され、この一次転写されたトナー像を担持して二次転写ロール８０に向けて搬送する。
【００４９】
図２に示す如く、ラップインロール６８及びラップアウトロール７０は、感光体ドラム５０との間に中間転写ベルト６４を挟持しておらず、それぞれ中間転写ベルト６４に接触して一次転写領域近傍の感光体ドラム５０と中間転写ベルト６４との間に、ギャップとしての前ギャップ９６及び後ギャップ９８を形成するように、中間転写ベルト６４を挟んで対向している。また、ラップインロール６８及びラップアウトロール７０の電位は、フロート状態にされて、自由に変動可能にされている。
【００５０】
前ギャップ９６は、感光体ドラム５０の回転中心（回転支軸４９）とラップインロール６８の回転中心とを結ぶ直線に沿った幅が、ラップインロール６８の回転半径（半径）よりも小さくされている。一方、後ギャップ９８は、感光体ドラム５０の回転中心（回転支軸４９）とラップアウトロール７０の回転中心とを結ぶ直線に沿った幅が、ラップアウトロール７０の回転半径（半径）よりも小さくされている。
【００５１】
中間転写ベルト６４は、ラップインロール６８、ラップアウトロール７０、二次転写バックアップロール７２、クリーニングバックアップロール７４及びブラシバックアップロール７６の５つのロールにより張架されている。
【００５２】
クリーニングバックアップロール７４とブラシバックアップロール７６との間隔は、上記したように、中間転写ベルト６４が長辺と短辺とを有するように略扁平に張られたときの短辺となるように配置されている。このため、クリーニングバックアップロール７４とブラシバックアップロール７６との間隔が広い構成と比較して、中間転写装置６２の小型化が図られている。
【００５３】
更に、中間転写ベルト６４の裏側（図１の右側面）には、ラップアウトロール７０及び二次転写バックアップロール７２により平面部（短辺）が形成されており、この平面部が二次転写領域となって搬送部２８に臨むようにされている。
【００５４】
なお、二次転写領域において、中間転写ベルト６４と搬送路２８との間が、約１２°の角度になるように、ラップアウトロール７０は配置されている。
【００５５】
クリーニングバックアップロール７４は、二次転写後に中間転写ベルト６４に残留する廃トナーを後述するスクレーパ８４が掻き取ることを補助し、ブラシバックアップロール７６は、二次転写後に中間転写ベルト６４に残留する廃トナーを後述するブラシロール８６が掻き取ることを補助する。
【００５６】
中間転写ベルト６４の上側長辺の上方には、反射型フォトセンサ７８が開閉カバー１６の裏面（内側）に固定されることによって設けられている。反射型フォトセンサ７８は、中間転写ベルト６４上に形成されたトナーのパッチを読み取り、中間転写ベルト６４の回動方向における位置を検出するとともに、トナー像の濃度検知を行う。
【００５７】
中間転写装置６２の二次転写バックアップロール７２には、搬送路２８を挟んで二次転写ロール８０が対峙している。つまり、二次転写ロール８０と二次転写バックアップロール７２との間が二次転写領域における二次転写位置となっており、二次転写ロール８０は、二次転写バックアップロール７２の補助により、中間転写ベルト６４に一次転写されたトナー像を二次転写位置で記録用紙Ｐに二次転写する。
【００５８】
ここで、二次転写ロール８０は、中間転写ベルト６４が３周回動する間、すなわちイエロー、マゼンタ、シアンのトナー像が中間転写ベルト６４上に重ねて一次転写されている間は中間転写ベルト６４から離間しており、黒のトナー像が中間転写ベルト６４上に重ねて一次転写される際には少なくとも中間転写ベルト６４上のトナー像が二次転写バックアップロール７２の位置を通過する間に二次転写ロール８０が中間転写ベルト６４に当接するようにされている。
【００５９】
なお、二次転写ロール８０と二次転写バックアップロール７２との間には、所定の電位差が生じるようにされており、二次転写ロール８０を高電圧にした場合には、二次転写バックアップロール７２はグランド（ＧＮＤ）に接続される。
【００６０】
中間転写装置６２には中間転写ベルト用クリーナ８２が設けられており、中間転写ベルト用クリーナ８２は中間転写ベルト６４の正面側端に配置されている。中間転写ベルト用クリーナ８２は、スクレーパ８４、ブラシロール８６、トナー回収ケース８８及び揺動支軸８９を有し、揺動支軸８９を軸として揺動する。この揺動により、中間転写ベルト用クリーナ８２は、スクレーパ８４及びブラシロール８６が、中間転写ベルト６４に接触する接触位置（図１の位置）と、中間転写ベルト６４から正面側へ離間する離間位置との間を移動する。
【００６１】
ここで、中間転写ベルト用クリーナ８２は、マゼンタ、シアン、黒のトナー像が中間転写ベルト６４上に重ねて一次転写されている間は離間位置に配置されており、中間転写ベルト６４上の二次転写後の廃トナーの回動先端がクリーニングバックアップロール７４の位置に到達する前（黒のトナー像の中間転写ベルト６４上への一次転写が終了する前でもよい）から中間転写ベルト６４が少なくとも１周回動する間（次のイエローのトナー像が中間転写ベルト６４上に一次転写されている間を含む）には中間転写ベルト用クリーナ８２が接触位置に配置される。
【００６２】
スクレーパ８４は、例えばステンレスの薄板からなり、トナーとは逆極性の電圧が掛けられている。したがって、スクレーパ８４が中間転写ベルト６４のトナー担持面に接触すると、スクレーパ８４がトナー担持面上に残留する廃トナーを掻き取って除去（クリーニング）する。
【００６３】
ブラシロール８６は、導電性の処理がなされたアクリルなどのブラシからなり、ブラシロール８６は、中間転写ベルト６４のトナー担持面に接触すると、中間転写ベルト６４の回動に従動して回転しつつ、スクレーパ８４による除去後に残った廃トナーをさらに掻き取って除去（クリーニング）する。
【００６４】
トナー回収ケース８８は、スクレーパ８４及びブラシロール８６によって除去された廃トナーを回収する。
【００６５】
二次転写位置の上方には、定着装置９０が配置されている。定着装置９０は、加熱ロール９２と加圧ロール９４とを有し、二次転写ロール８０及び二次転写バックアップロール７２により記録用紙Ｐに二次転写されたトナー像を記録用紙Ｐに定着させ、排出ロール３４に向けて搬送する。排出ロール３４は、排出口３０から開閉カバー１６の上部に設けられた排出部３６へ記録用紙Ｐを排出する。
【００６６】
次に、本実施の形態の作用を説明する。
【００６７】
以上の構成のカラープリンタ１０では、画像形成信号が送られると、感光体ドラム５０が帯電ロール５２により一様に帯電され、この帯電された感光体ドラム５０に、画像信号に基づいて露光装置６０から光線が出射される。露光装置６０からの光線は、感光体ドラム５０の表面を露光し、潜像が形成される。さらに、感光体ドラム５０が中間転写ベルト６４を１周回動させる分回転される毎にロータリ現像装置３８の現像器本体４０が９０°ずつ回転されることで、感光体ドラム５０の中間転写ベルト６４を１周回動させる分の回転毎に、露光装置６０によって潜像が形成された感光体ドラム５０に、イエロー、マゼンタ、シアン、黒のトナー像が別々に現像される。また、感光体ドラム５０に現像された各色のトナー像は、中間転写ベルト６４の１周の回動毎に、別々に中間転写ベルト６４に重ねて一次転写される。各色のトナー像の一次転写において感光体ドラム５０に残留する廃トナーは、感光体ドラム用クリーナ５４のクリーニングブレード５６によって掻き取られ、トナー回収ケース５８に回収される。
【００６８】
一方、給紙信号等により、給紙カセット２２に収納された記録用紙Ｐは、フィードロール２４により送り出され、リタードロール２６により捌かれて搬送路２８に導かれ、レジストロール３２により一時停止され、タイミングをとって二次転写ロール８０と二次転写バックアップロール７２との間に導かれる。記録用紙Ｐが二次転写ロール８０と二次転写バックアップロール７２との間に導かれると、中間転写ベルト６４に一次転写されている４色が重ねられたトナー像が二次転写ロール８０と二次転写バックアップロール７２とによって記録用紙Ｐに二次転写される。トナー像の二次転写において中間転写ベルト６４のトナー担持面上に残留する廃トナーは、中間転写ベルト用クリーナ８２のスクレーパ８４及びブラシロール８６によって除去され、トナー回収ケース８８に回収される。
【００６９】
トナー像を転写された記録用紙Ｐは、定着装置９０に導かれ、加熱ロール９２と加圧ロール９４とによる熱圧力によって、トナー像が定着される。トナー像が定着した記録用紙Ｐは、排出ロール３４により排出口３０から排出部３６へ排出される。
【００７０】
ところで、中間転写装置６２では、トナー像（トナー）を担持して回転される感光体ドラム５０を、回動される中間転写ベルト６４が一次転写領域に亘って被覆しており、一次転写領域において中間転写ベルト６４が感光体ドラム５０の回転と共に回動されて、感光体ドラム５０に担持されたトナー像が一次転写ロール６６によって中間転写ベルト６４に一次転写される。また、ラップインロール６８が、中間転写ベルト６４の一次転写領域よりも反回動方向側（回動方向上流側）に配置されると共に、ラップアウトロール７０が、中間転写ベルト６４の一次転写領域よりも回動方向側（回動方向下流側）に配置されている。
【００７１】
ここで、ラップインロール６８は、一次転写領域近傍の感光体ドラム５０と中間転写ベルト６４との間に前ギャップ９６を形成するように中間転写ベルト６４を挟んで対向すると共に、電位がフロート状態にされている。このため、カラープリンタ１０の像形成中（電源ＯＮ操作直後の作動準備工程から電源ＯＦＦ操作直後の作動終了工程まで）には、感光体ドラム５０外周面の前ギャップ９６の位置における電位（例えば−６００Ｖ）がラップインロール６８に誘電されて、ラップインロール６８が感光体ドラム５０に担持されたトナー像のトナー電荷極性（例えばマイナス）と同極性（例えばマイナス）の電位にされる。これにより、前ギャップ９６の位置においては、感光体ドラム５０外周面と中間転写ベルト６４との電位差が小さくなって、感光体ドラム５０に担持されたトナー像が放電によって中間転写ベルト６４に飛び散ることを抑制でき、中間転写ベルト６４に良好なトナー像を一次転写することができる。
【００７２】
さらに、感光体ドラム５０の回転中心とラップインロール６８の回転中心とを結ぶ直線に沿った前ギャップ９６の幅が、ラップインロール６８の回転半径よりも小さくされている。このため、感光体ドラム５０外周面の電位をラップインロール６８に良好に誘電させることができる。
【００７３】
しかも、ラップインロール６８が、感光体ドラム５０外周面の前ギャップ９６の位置における電位と略同一の電位にされる。このため、感光体ドラム５０に担持されたトナー像が中間転写ベルト６４に飛び散ることを良好に抑制できる。
【００７４】
なお、図３に示す如く、前ギャップ９６の位置において感光体ドラム５０外周面の電位が誘導される感光体ドラム５０と中間転写ベルト６４との中間転写ベルト６４に垂直な距離Ｘが一定であるとする。この際には、図３（Ａ）に示す如く感光体ドラム５０外周面と中間転写ベルト６４との角度が緩やかな場合の方が、図３（Ｂ）に示す如く感光体ドラム５０外周面と中間転写ベルト６４との角度が急峻な場合よりも、感光体ドラム５０外周面の電位が誘導される範囲Ｓが広く、感光体ドラム５０外周面の電位がラップインロール６８により充分に誘電される。
【００７５】
また、上述の如くラップインロール６８の電位をフロート状態にするのみで感光体ドラム５０外周面の前ギャップ９６の位置における電位がラップインロール６８に誘電されるため、簡単な構成でラップインロール６８を感光体ドラム５０に担持されたトナー像のトナー電荷極性と同極性の電位にすることができる。
【００７６】
さらに、ラップインロール６８が中間転写ベルト６４に接触することで、前ギャップ９６が形成されている。このため、前ギャップ９６を形成するための他の部品が必要なく、部品点数を少なくすることができる。
【００７７】
一方、ラップアウトロール７０は、一次転写領域近傍の感光体ドラム５０と中間転写ベルト６４との間に後ギャップ９８を形成するように中間転写ベルト６４を挟んで対向すると共に、電位がフロート状態にされている。このため、カラープリンタ１０の像形成中（電源ＯＮ操作直後の作動準備工程から電源ＯＦＦ操作直後の作動終了工程まで）には、後ギャップ９８の位置において、中間転写ベルト６４が感光体ドラム５０外周面（例えば電位が−２００Ｖにされている）から剥離するときに起こる剥離放電によって発生する電荷（感光体ドラム５０から中間転写ベルト６４に一次転写されて担持されたトナー像のトナー電荷極性（例えばマイナス）と逆極性（例えばプラス）の電荷）がラップアウトロール７０に荷電（帯電）されて、ラップアウトロール７０が、中間転写ベルト６４に担持されたトナー像のトナー電荷極性と逆極性（例えばプラス）の電位、すなわち、中間転写ベルト６４に担持されたトナー像が中間転写ベルト６４側に静電的に拘束される電位（中間転写ベルト６４に担持されたトナー像がラップアウトロール７０側への移動力を受ける電位）にされる。これにより、中間転写ベルト６４に担持されたトナー像の中間転写ベルト６４への静電保持力が得られて、当該トナー像の感光体ドラム５０へのリトランスファを抑制でき、中間転写ベルト６４に良好なトナー像を一次転写することができる。
【００７８】
さらに、感光体ドラム５０の回転中心とラップアウトロール７０の回転中心とを結ぶ直線に沿った後ギャップ９８の幅が、ラップアウトロール７０の回転半径よりも小さくされている。このため、中間転写ベルト６４が感光体ドラム５０から剥離するときに起こる剥離放電によって発生する電荷をラップアウトロール７０に良好に荷電させることができる。
【００７９】
しかも、ラップアウトロール７０が、感光体ドラム５０外周面の後ギャップ９８の位置における電位と逆極性で絶対値が略同一の電位（例えば２００Ｖ）にされる。このため、中間転写ベルト６４に担持されたトナー像の感光体ドラム５０へのリトランスファを良好に抑制できる。
【００８０】
なお、図４に示す如く、後ギャップ９８の位置において中間転写ベルト６４が感光体ドラム５０外周面から剥離するときに起こる剥離放電が発生する感光体ドラム５０と中間転写ベルト６４との中間転写ベルト６４に垂直な距離Ｙが一定であるとする。この際には、図４（Ａ）に示す如く感光体ドラム５０外周面と中間転写ベルト６４との角度が緩やかな場合の方が、図４（Ｂ）に示す如く感光体ドラム５０外周面と中間転写ベルト６４との角度が急峻な場合よりも、当該剥離放電が発生する範囲Ｔが広く、当該剥離放電によって発生する電荷がラップアウトロール７０により充分に帯電される。
【００８１】
また、上述の如くラップアウトロール７０の電位がフロート状態にされるのみで中間転写ベルト６４が感光体ドラム５０外周面から剥離するときに起こる剥離放電によって発生する電荷がラップアウトロール７０に荷電されるため、簡単な構成でラップアウトロール７０を中間転写ベルト６４に担持されたトナー像のトナー電荷極性と逆極性に荷電させることができる。
【００８２】
さらに、ラップアウトロール７０が中間転写ベルト６４に接触することで、後ギャップ９８が形成されている。このため、後ギャップ９８を形成するための他の部品が必要なく、部品点数を少なくすることができる。
【００８３】
［第２の実施の形態］
図５には、本発明の第２の実施の形態に係る転写装置としての中間転写装置１００の主要部が右側方から見た側面図にて示されている。
【００８４】
本実施の形態に係る中間転写装置１００は、上記第１の実施の形態に係る中間転写装置６２とほぼ同様の構成であるが、以下の点で異なる。
【００８５】
ラップインロール６８及びラップアウトロール７０は、感光体ドラム５０との間に中間転写ベルト６４を挟持しており、それぞれ中間転写ベルト６４に接触して一次転写領域近傍の感光体ドラム５０と中間転写ベルト６４との間に、ギャップとしての前ギャップ１０２及び後ギャップ１０４を形成するように、中間転写ベルト６４を挟んで対向している。
【００８６】
ラップインロール６８は、感光体ドラム５０に担持されたトナー像のトナー電荷極性（例えばマイナス）と同極性（例えばマイナス）のバイアスが印加されることで、例えば、感光体ドラム５０外周面の前ギャップ１０２の位置における電位（例えば−６００Ｖ）と略同一の電位や、当該トナー像が感光体ドラム５０側への移動力を受ける電位（例えば感光体ドラム５０外周面の前ギャップ１０２の位置における電位よりも低い電位）にされて、感光体ドラム５０に担持されたトナー像のトナー電荷極性と同極性に荷電（帯電）されている。
【００８７】
ラップアウトロール７０は、例えば感光体ドラム５０から中間転写ベルト６４に一次転写されて担持されたトナー像のトナー電荷極性（例えばマイナス）と逆極性（例えばプラス）のバイアスが印加されて、後ギャップ１０４の位置において当該トナー像がラップアウトロール７０側への移動力を受ける電位（例えば感光体ドラム５０外周面の後ギャップ１０４の位置における電位（例えば−６００Ｖ乃至０Ｖ）よりも高い電位）にされている。
【００８８】
ここで、本実施の形態に係る中間転写装置１００でも、上記第１の実施の形態と同様の効果を得ることができる。
【００８９】
さらに、上述の如く感光体ドラム５０に担持されたトナー像と同極性のバイアスをラップインロール６８に印加するため、容易にラップインロール６８の電位を制御することができる。
【００９０】
しかも、上述の如く中間転写ベルト６４に担持されたトナー像がラップアウトロール７０側への移動力を受けるバイアスをラップアウトロール７０に印加するため、容易にラップアウトロール７０の電位を制御することができる。
【００９１】
なお、本実施の形態では、ラップインロール６８及びラップアウトロール７０が感光体ドラム５０との間に中間転写ベルト６４を挟持した構成としたが、ラップインロール６８やラップアウトロール７０は感光体ドラム５０との間に中間転写ベルト６４を挟持しない構成としてもよい。
【００９２】
また、上記第１の実施の形態及び第２の実施の形態では、本発明の転写媒体を記録用紙Ｐにした構成としたが、本発明の転写媒体をＯＨＰシートにした構成としてもよい。
【００９３】
さらに、上記第１の実施の形態及び第２の実施の形態では、本発明の画像形成装置をカラープリンタ１０にした構成としたが、本発明の画像形成装置を複写機、ファクシミリ、あるいは、複合機等にした構成としてもよい。
【図面の簡単な説明】
【００９４】
【図１】本発明の第１の実施の形態に係るカラープリンタの概略構成を示す右側方から見た断面図である。
【図２】本発明の第１の実施の形態に係るカラープリンタにおける中間転写装置の主要部を示す右側方から見た側面図である。
【図３】（Ａ）及び（Ｂ）は、本発明の第１の実施の形態に係るカラープリンタにおいて感光体ドラム外周面の電位が前ギャップの位置で誘導される範囲を示す側面図であり、（Ａ）は、感光体ドラム外周面と中間転写ベルトとの角度が緩やかな場合を示す図であり、（Ｂ）は、感光体ドラム外周面と中間転写ベルトとの角度が急峻な場合を示す図である。
【図４】（Ａ）及び（Ｂ）は、本発明の第１の実施の形態に係るカラープリンタにおいて中間転写ベルトが感光体ドラム外周面から剥離するときに起こる剥離放電が後ギャップの位置で発生する範囲を示す側面図であり、（Ａ）は、感光体ドラム外周面と中間転写ベルトとの角度が緩やかな場合を示す図であり、（Ｂ）は、感光体ドラム外周面と中間転写ベルトとの角度が急峻な場合を示す図である。
【図５】本発明の第２の実施の形態に係るカラープリンタにおける中間転写装置の主要部を示す右側方から見た側面図である。
【符号の説明】
【００９５】
１０    カラープリンタ（画像形成装置）
５０    感光体ドラム（像担持部位）
６２    中間転写装置（転写装置）
６４    中間転写ベルト（転写部材）
６８    ラップインロール（前配置部材）
７０    ラップアウトロール（後配置部材）
９６    前ギャップ（ギャップ）
９８    後ギャップ（ギャップ）
１００    中間転写装置（転写装置）
１０２    前ギャップ（ギャップ）
１０４    後ギャップ（ギャップ）
Ｐ    記録用紙（転写媒体）
【図１】
2005331662.tif 000003
【図２】
2005331662.tif 000004
【図３】
2005331662.tif 000005
【図４】
2005331662.tif 000006
【図５】
2005331662.tif 000007